(57)【要約】【課題】複数の表示パネルを有するにも拘わらず構造が大幅に簡素化され、適用製品の実装作業工数の低減と製品歩留まりの向上に寄与する、表示モジュールを提供する。【解決手段】メイン液晶表示パネル２の一方のガラス基板２ａの突出部２ａ１に、メイン液晶表示パネル２の駆動回路とサブ液晶表示パネル３の駆動回路をまとめて配設される駆動回路部２ｃが形成されている。この駆動回路部２ｃは、画素部のＴＦＴ２ａ４やソース線２ａ２、ゲート線２ａ３と同一工程で形成されるポリシリコンＴＦＴや配線等からなる。サブ液晶表示パネル３とその駆動回路とは、面光源装置１の端部を迂回させて設けられたＦＰＣ４により配線接続されている。【選択図】      図２
2005043477.tif 000002
【特許請求の範囲】
【請求項１】
第１の表示パネルと第２の表示パネルを有する表示モジュールであって、
前記第１の表示パネルを駆動する駆動回路と前記第２の表示パネルを駆動する駆動回路とが前記第１の表示パネルと前記第２の表示パネルのうちの何れか一方の表示パネルの基板に駆動回路部としてまとめて設置されていることを特徴とする表示モジュール。
【請求項２】
前記第１の表示パネルと前記第２の表示パネルのうちの少なくとも一方は、一対の基板間に液晶を封入してなり、マトリクス配置された個々の画素毎に画素の駆動をスイッチングする薄膜トランジスタを配置してなるアクティブマトリックス型液晶表示パネルであることを特徴とする請求項１記載の表示モジュール。
【請求項３】
前記駆動回路部が前記アクティブマトリックス型液晶表示パネルの薄膜トランジスタが設けられる一方の基板に形成された薄膜トランジスタからなることを特徴とする請求項２記載の表示モジュール。
【請求項４】
前記表示モジュールは、表裏両面から面状に光を出射させる導光板を備えた面光源装置を挟んで、前記導光板の表面側に前記第１の表示パネルを対向配設し、前記導光板の裏面側に前記第２の表示パネルを対向配置してなることを特徴とする請求項１乃至請求項３のうちの何れかに記載の表示モジュール。
【請求項５】
一方の表示パネルの前記薄膜トランジスタからなる駆動回路部に設けられた他方の表示パネルに対応する駆動回路と該他方の表示パネルの入力端子とが異方性導電接着剤を介して導通接合されていることを特徴とする請求項３に記載の表示モジュール。
【発明の詳細な説明】
【０００１】
【発明の属する技術分野】
この発明は、複数の表示パネルを有する表示モジュールに関し、特に、複数の液晶表示パネルを有する液晶表示モジュールに関する。
【０００２】
【従来の技術】
従来、携帯電話機に用いられる液晶表示モジュールに、メインの液晶表示パネルとサブの液晶表示パネルを備えたものがある（例えば特許文献１）。
【０００３】
【特許文献１】
特開２００１−２６８１８６（第２頁、図３、図４）
【０００４】
【発明が解決しようとする課題】
上述した複数の液晶表示パネルを有する液晶表示モジュールにおいては、個々の液晶表示パネルにそれを駆動するための駆動回路がそれぞれ配設されている。この場合、実装構造を簡素化するために、各液晶表示パネルにおける画素信号回路と走査信号回路を１個のＬＳＩに纏めて一方の基板に配置する１チップドライバ方式が、採用されている。
【０００５】
然るに、１チップドライバ方式を採用しても、複数の液晶表示パネルを有する液晶表示モジュールにおいては複数のドライバチップが個々の液晶表示パネル毎に配設されることになり、実装構造の簡素化は不十分である。
【０００６】
本発明は、複数の表示パネルを有するにも拘わらず実装構造が大幅に簡素化され、実装作業工数の低減と歩留まりの向上に寄与する、表示モジュールを提供することを課題とする。
【０００７】
【課題を解決するための手段】
本発明の表示モジュールは、第１の表示パネルと第２の表示パネルを有する表示モジュールであって、前記第１の表示パネルを駆動する駆動回路と前記第２の表示パネルを駆動する駆動回路とが共に前記第１の表示パネルと前記第２の表示パネルのうちの何れか一方の表示パネルの基板に駆動回路部としてまとめて設置されていることを特徴とするものである。
【０００８】
本発明の表示モジュールによれば、複数の表示パネルの各駆動回路を一方の表示パネルの基板にまとめて配置したから、本表示モジュール自体の小型コンパクト化が促進されるだけでなく、本表示モジュールの実装構造が極めて簡素化され、適用製品への実装作業工数が顕著に低減されると共に、表示モジュールとして歩留まりは勿論適用製品の歩留まりも大幅に向上される。
【０００９】
本発明の表示モジュールは、請求項２に記載のように、前記第１の表示パネルと前記第２の表示パネルのうちの少なくとも一方は、一対の基板間に液晶を封入してなり、マトリックス配置された個々の画素毎に画素の駆動をスイッチングする薄膜トランジスタを配置してなるアクティブマトリックス型液晶表示パネルであることが好ましく、この場合、請求項３に記載のように、前記駆動回路部を共に前記アクティブマトリックス型液晶表示パネルの薄膜トランジスタが設けられる一方の基板に薄膜トランジスタを形成して構成することが好ましい。このように構成することにより、表示モジュール自体の実装構造が簡素化されてその製造プロセスが容易なものとなり、プロセス歩留まり及び配線接続の信頼性が大幅に向上され、表示パネルの高精細化に極めて有利となる。
【００１０】
また、本発明の表示モジュールは、請求項４に記載のように、表裏両面から面状に光を出射させる導光板を備えた面光源装置を挟んで、前記導光板の表面側に前記第１の表示パネルを対向配設し、前記導光板の裏面側に前記第２の表示パネルを対向配置してなることが好ましく、これにより、各表示パネルの駆動回路を一方の表示パネルの基板にまとめて配置すると共に１個の光源を共通のバックライトとして利用することができ、バックライトを必要とする複数の表示パネルからなる表示モジュールの小型コンパクト化が促進される。
【００１１】
さらに、本発明の表示モジュールでは、請求項５に記載のように、一方の表示パネルの前記薄膜トランジスタからなる駆動回路部に設けられた他方の表示パネルに対応する駆動回路と該他方の表示パネルの入力端子とが異方性導電接着剤を介して導通接合されていることが好ましく、これにより、本発明の表示モジュールの小型コンパクト化がより一層促進される。
【００１２】
【発明の実施の形態】
本発明の第１実施形態としての液晶表示モジュールについて、図１乃至図２に基づき説明する。図１は本実施形態の液晶表示モジュールの全体構成を示す模式的側断面図、図２は２個の液晶表示パネルと駆動回路部との配置関係を示す要部展開図である。
【００１３】
本液晶表示モジュールは、図１に示されるように、面光源装置１とその一方の表面に対向配置されたメイン液晶表示パネル２、その裏面に対向配置されたサブ液晶表示パネル３、及びこれら両液晶表示パネル２、３を面光源装置１の先端部を迂回して配線接続するフレキシブル配線シート（Ｆｌｅｘｉｂｌｅ  Ｐｒｉｎｔｅｄ  Ｃｉｒｃｕｉｔ  ；以下、ＦＰＣと略記する）４、及び外部回路からの各種信号入力用の入力配線シート５からなる。
【００１４】
面光源装置１は、断面が台形をなす楔型導光板１ａの一端面１ａ１に冷陰極管１ｂを対向配置し、この冷陰極管１ｂを導光板１ａの対向端面１ａ１とで囲むようにリフレクタ１ｃを配設して成る。
【００１５】
この面光源装置１においては、冷陰極管１ｂから射出されリフレクタ１ｃで反射された光も含めた略全ての射出光が導光板１ａにその対向端面１ａ１から入射し、導光板１ａの表裏両面で全反射を繰り返しながら導光板１ａ内を進行するうちに表裏両面から出射する。この出射光がそれぞれの面に対向配置された液晶表示パネル２、３のバックライト光となり、液晶表示パネル２、３によりそれぞれの入力情報が透過表示される。
【００１６】
導光板１ａの一方の光出射面（以下、この面を表面とする）には、メイン液晶表示パネル２が対向配置されている。このメイン液晶表示パネル２は、一対のガラス基板２ａ、２ｂを図示しないシール材により接合し、シール材で囲むガラス基板２ａ、２ｂ間に液晶を封入してなり、一方のガラス基板２ａの一端部を他方のガラス基板２ｂ端面よりも突出させてある。この突出部２ａ１には、メイン液晶表示パネル２の駆動回路とサブ液晶表示パネル３の駆動回路がまとめて配置された駆動回路部２ｃが形成されている。
【００１７】
本実施形態のメイン液晶表示パネル２は、アクティブマトリックス型液晶表示パネルであり、図２に示すように、駆動回路部２ｃが設けられる一方のガラス基板２ａの他方のガラス基板２ｂに対向させる表面（以下、内面という）には、複数のソース線２ａ２とゲート線２ａ３が互いに直交する方向にそれぞれ平行に敷設されている。これらソース線２ａ２とゲート線２ａ３との交差部に対応させて、画素電極（不図示）がマトリックス状に配設され、各画素電極はそれぞれスイッチング素子としての薄膜トランジスタ（Ｔｈｉｎ  Ｆｉｌｍ  Ｔｒａｎｓｉｓｔｏｒ；以下、ＴＦＴと略記する）２ａ４を介して対応するソース線２ａ２とゲート線２ａ３に電気接続されている。一方、対向側ガラス基板２ｂの内面には、一枚シート状の対向電極（不図示）が設置され、この対向電極は接地接続されている。
【００１８】
これにより、各画素電極と対向電極が液晶を介して対向する領域毎に画素ｐがそれぞれ形成され、これら各画素ｐは各画素電極にＴＦＴ２ａ４を介して電気接続されたソース線２ａ２とゲート線２ａ３を通じて入力される各信号に応じて駆動される。すなわち、ゲート信号に応じて各ＴＦＴ２ａ４がオン・オフされ、ＴＦＴ２ａ４のオン時にソース線２ａ２を通じて入力されるデータ信号電圧が液晶層に印加され、液晶の配向状態が変化して画素がオンする。なお、各ソース線２ａ２とゲート線２ａ３は、ガラス基板２ａ上をそのまま突出部２ａ１の駆動回路部２ｃ内まで延出させてある。
【００１９】
駆動回路部２ｃには、ポリシリコン薄膜による相補型金属酸化膜半導体構造（Ｃｏｍｐｌｅｍｅｎｔａｒｙ  Ｍｅｔａｌ  ｏｘｉｄｅ  Ｓｅｍｉｃｏｎｄｕｃｔｏｒ  ；以下、ＣＭＯＳ構造と略記する）のＴＦＴからなるソース線ドライバ回路及びゲー卜線ドライバ回路が形成されている。ソース線ドライバ回路は、シフ卜レジスタ、サンプルホールド回路、及びビデオ信号バス等からなり、ゲー卜線ドライバ回路はシフ卜レジスタから成り必要に応じてバッファ等を含む。
【００２０】
ここで、ドライバ回路を構成するＴＦＴと画素ＴＦＴ２ａ４とは、ソース・ドレイン領域、チャネル領域、ゲー卜絶縁膜、ゲー卜電極、層間絶縁膜はそれぞれ同一の薄膜層で形成されている。また、ソース線ドライバ回路並びにゲー卜線ドライバ回路におけるＴＦＴ間の接続は例えばアルミニウム等の金属によるシー卜抵抗の低い配線層を介して成され、画素マ卜リクス内のソース線２ａ２はそれと同一の層より成る配線層にて形成され、画素電極のみがＩＴＯ等の透明導電膜層で形成される。
【００２１】
すなわち、画素ＴＦＴ２ａ４とドライバＴＦＴ及びそれらを接続する画素マ卜リクス内のソース線２ａ２やゲート線２ａ３等の配線層は、同一ガラス基板２ａ上に同一の薄膜積層工程で形成される。従って、ソース線２ａ２やゲート線２ａ３等の画素配線とその駆動回路をＦＰＣ等の配線接続部材で接続する方法に比べて、半田等による端子接続工程を省略できるから実装作業が極めて簡単となり、作業工数が大幅に低減される。また、端子接続ピッチの限界により画素の高精細化が妨げられることもなく、メイン液晶表示パネル２の高精細化にも極めて有利である。
【００２２】
なお、駆動回路２ｃには、サブ液晶表示パネル３を駆動するドライバ回路も、メイン液晶表示パネル２のドライバ回路と同様に、ポリシリコンＴＦＴ等により形成されている。
【００２３】
導光板１ａの裏面には、サブ液晶表示パネル３が対向配置されている。このサブ液晶表示パネル３は、単純マトリクス型液晶表示パネルであり、シール材で接合された一対のガラス基板３ａ、３ｂのうちの一方のガラス基板３ａの内面には複数本の信号電極３ｃが平行に敷設され、他方のガラス基板３ｂの内面には、複数本の走査電極３ｄが信号電極３ｃとは直交する方向に互いに平行に敷設されている。
【００２４】
一対のガラス基板３ａ、３ｂのうちの一方のガラス基板３ａは、その一端部を対向ガラス基板３ｂの端面から適長突出させてある。この突出部３ａ１には、信号電極３ｃに接続された信号配線３ｅの各接続端子３ｆと、走査電極３ｄに接続された走査配線３ｇの各接続端子３ｈとが配設されている。なお、走査配線３ｇは、ガラス基板３ｂからシール材中に含有させてある導電性粒子を介して対向側のガラス基板３ａに配線が導通接続されている。
【００２５】
上述のサブ液晶表示パネル３は、ＦＰＣ４により、前述したメイン液晶表示パネル２に設けてある駆動回路部２ｃに接続されている。ＦＰＣ４の両端部には、それぞれ、接続すべきサブ液晶表示パネル３と駆動回路部２ｃの各接続端子に対応させて、接続端子パッド列４ａ、４ｂが形成されている。そして、それら接続端子パッド列４ａ、４ｂの対応する端子同士が配線４ｃでそれぞれ接続されている。各接続端子パッド列４ａ、４ｂと接続すべきサブ液晶表示パネル３の接続端子３ｆ、３ｈ及び駆動回路２部ｃの出力端子部ＰＯ１とは、それぞれ、異方性導電接着剤（不図示）を介して導通接合されている。
【００２６】
また、駆動回路部２ｃには、図外の制御回路から各種駆動制御信号やデータ信号が入力される信号入力用のＦＰＣからなる入力配線シート５が、配線接続されている。この場合、駆動回路部２ｃには、サブ液晶表示パネル３に対する駆動信号を出力するための出力端子ポートＰＯ１に隣接して入力端子ポートＰＩが形成されており、この入力端子ポートＰＩに入力配線シート５の接続端子５ａが、異方性導電接着剤（不図示）を介して導通接合されている。
【００２７】
以上のように、本実施形態によれば、メインとサブの両方の液晶表示パネル２、３の各駆動回路をメイン液晶表示パネル２の一方のガラス基板２ａの突出部２ａ１に駆動回路部２ｃとしてまとめて形成するから、複数の液晶表示パネルを備えるにも拘わらず液晶表示モジュール自体の小型コンパクト化が促進されると共に、適用製品に対する実装構造が簡素化されて実装作業工数が大幅に低減される。また、両液晶表示パネル２、３の各駆動回路をまとめた駆動回路部２ｃを、メイン液晶表示パネルの画素ＴＦＴ２ａ４と同様のポリシリコンＴＦＴ等で構成し、画素ＴＦＴの形成工程で同時に形成するから、製造工数及び実装作業工数の両方が低減されるとともにメイン液晶表示パネル２に対する接続端子ピッチの制約が無くなり、メイン液晶表示パネルの高精細化に際して高いプロセス歩留まりと信頼性を確保することができる。
【００２８】
次に、本発明の第２実施形態について、図３及び図４に基づき説明する。
本実施形態の表示モジュールは、前述した実施形態と同様に、アクティブマトリックス型のメイン液晶表示パネル６と単純マトリクス型のサブ液晶表示パネル７を備えた液晶表示モジュールであるが、バックライト装置を備えず、メイン液晶表示パネル６とサブ液晶表示パネル７とを配線シートを介さずに導通接合した点で、第１実施形態の液晶表示モジュールとは構成が異なっている。その他の構成は、第１実施形態の表示モジュールと同じである。
【００２９】
すなわち、メイン液晶表示パネル６とサブ液晶表示パネル７は共に反射型の液晶表示パネルであり、メイン液晶表示パネル６ではガラス基板６ｂのガラス基板６ａに対向させた内面に反射板（不図示）が設置され、サブ液晶表示パネル７ではガラス基板７ａのガラス基板７ｂに対向させた内面に反射板（不図示）が設置されている。従って、本液晶表示モジュールにおいては、メイン画面とサブ画面の各観察方向がそれぞれ矢印Ａ、Ｂで示されるように同一面側となり、その観察面側を表側とした場合に、表側にメイン画面とサブ画面が並んだ画面配置となっている。
【００３０】
そして、メイン液晶表示パネル６の一方のガラス基板６ａの他方のガラス基板６ｂの端面から突出させた突出部６ａ１に、メイン液晶表示パネル６とサブ液晶表示パネル７の各駆動回路をまとめて設置した駆動回路部６ｃが形成されている。この駆動回路部６ｃは、ポリシリコンＴＦＴ等からなり、図４に示される画素部のＴＦＴ６ａ４やソース線６ａ２、ゲート線６ａ３等を形成する薄膜積層工程において同時に形成されている。そして、駆動回路部６ｃの基板端面側の端部には、サブ液晶表示パネル７を駆動する駆動信号を出力するための出力端子列（不図示）が形成されている。
【００３１】
サブ液晶表示モジュール７の一方のガラス基板７ａの他方のガラス基板７ｂ端面から突出させた突出部７ａ１には、各ガラス基板７ａ、７ｂの内面に互いに直交する方向に形成されている信号電極７ｃと走査電極７ｄにそれぞれ信号配線７ｅと走査配線７ｇを介して接続されている各接続端子７ｆ、７ｈが列状に配設されている。これら接続端子７ｆ、７ｈは、異方性導電接着剤（不図示）を介して対応する駆動回路部６ｃの出力端子ポートＰＯに導通接合されている。
【００３２】
駆動回路部６ｃの一方の短手方向端部には、入力端子ポートＰＩが形成されており、この入力端子ポートＰＩには、外部回路から各種駆動制御信号やデータ信号を入力するための入力配線シート８が接続されている。この場合、入力配線シート８の端部に設けられている各接続端子８ａと駆動回路部６ｃの対応する入力端子（不図示）とが、異方性導電接着剤（不図示）を介して導通接合されている。なお、この入力配線シート８は、携帯電話機等の適用製品のレイアウト仕様に応じて最適位置に接続するのが好ましく、例えばメイン液晶表示パネル６の駆動回路部６ｃを形成した端部とは反対側の端部に接続してもよい。
【００３３】
以上のように、本実施形態の表示モジュールによれば、メインとサブの双方の液晶表示パネル６、７をバックライトが不要な反射型とし、一方の液晶表示パネル７と他方の液晶表示パネル６の基板に設けられたその駆動回路との配線接続をＦＰＣを介さずに対応する端子同士を異方性導電接着剤を介して導通接合したから、複数の表示パネルを備えながら表示モジュール全体がより小型コンパクト化されると共にその実装構造が第１実施形態よりも更に簡素化され、表示モジュールとしての信頼性がより一層向上する。
【００３４】
なお、本発明の表示モジュールは、上記実施形態に限定されるものではない
例えば、複数の表示パネルは共に液晶表示パネルではなく、例えば片方を有機エレクトロルミネッセンスパネルにしてもよく、或いは双方の表示パネルを液晶表示パネル以外の有機エレクトロルミネッセンスパネルやプラズマディスプレイパネル等とすることも可能である。
【００３５】
また、それぞれの表示パネルの駆動回路を共にＩＣチップ化し、一方の表示パネルの端部にまとめて設置してもよい。
【００３６】
【発明の効果】
本発明の表示モジュールによれば、複数の表示パネルの各駆動回路を一方の表示パネルの基板にまとめて配置したから、表示モジュール自体の小型コンパクト化が促進されるだけでなく、実装構造が極めて簡素化され、適用製品の実装作業工数が顕著に低減されると共に、歩留まりが大幅に向上される。
【００３７】
また、本発明の表示モジュールは、請求項２に記載のように、前記第１の表示パネルと前記第２の表示パネルのうちの少なくとも一方を、一対の基板間に液晶を封入してなり、マトリクス配置された個々の画素毎に画素の駆動をスイッチングする薄膜トランジスタを配置してなるアクティブマトリックス型液晶表示パネルとし、且つ、請求項３に記載のように、双方の表示パネルの各駆動回路をまとめた駆動回路部を前記アクティブマトリックス型液晶表示パネルの薄膜トランジスタが設けられる一方の基板に形成された薄膜トランジスタで構成することにより、表示モジュール自体の実装構造が簡素化されてその製造プロセスが容易なものとなり、プロセス歩留まり及び配線接続の信頼性が大幅に向上され、表示パネルの高精細化に極めて有利となる。
【００３８】
更に、請求項４に記載のように、表裏両面から面状に光を出射させる導光板を備えた面光源装置を挟んで、前記導光板の表面側に前記第１の表示パネルを対向配設し、前記導光板の裏面側に前記第２の表示パネルを対向配置することにより、１個の光源を共通のバックライトとして利用することができ、バックライトを必要とする複数の表示パネルからなる表示モジュールの小型コンパクト化が促進される。
【００３９】
加えて、請求項３に記載の表示モジュールは、請求項５に記載のように、一方の表示パネルの薄膜トランジスタからなる駆動回路部に設けられた他方の表示パネルに対応する駆動回路とこの他方の表示パネルの入力端子とを異方性導電接着剤により導通接合することにより、表示モジュール自体の小型コンパクト化がより一層促進される。
【図面の簡単な説明】
【図１】本発明の第１実施形態としての表示モジュールを示す模式的側断面図である。
【図２】上記第１実施形態としての表示モジュールの要部を展開して示す展開平面図である。
【図３】本発明の第２実施形態としての表示モジュールを示す模式的側断面図である。
【図４】上記第２実施形態としての表示モジュールの要部を展開して示す展開平面図である。
【符号の説明】
１…面光源装置
２、６…メイン液晶表示パネル
２ｃ、６ｃ…駆動回路部
３、７…サブ液晶表示パネル
４…ＦＰＣ
５、８…入力配線シート
【図１】
2005043477.tif 000003
【図２】
2005043477.tif 000004
【図３】
2005043477.tif 000005
【図４】
2005043477.tif 000006